(57)【要約】【課題】  遊技機の自立を補助するともに、補助具が邪魔にならず、さらに、筐体枠の強度補強を行うことが可能な自立補助具及び遊技機を提供すること。【解決手段】本発明に係る自立補助具１は、遊技機２の自立を補助するために、遊技機２の周囲を囲む筐体枠３に取り付けられている。自立補助具１は、筐体枠３の底板３ｂ底面３ｄを載置する載置面５０に当接可能な当接部４１ｃを有して遊技機２の重量を支持する支持部４１と、支持部４１を筐体枠３の内側に収納可能とする収納機構４０と、を有している。収納時に当接部４１ｃは、筐体枠３の底板３ｂ内面３ｃに当接可能となっている。【選択図】  図３
2008245847.tif 000002
【特許請求の範囲】
【請求項１】
遊技機の自立を補助するために、該遊技機の周囲を囲む筐体枠に取り付けられる自立補助具であって、
該筐体枠の底板底面を載置する載置面に当接可能な当接部を有して前記遊技機の重量を支持する支持部と、
該支持部を前記筐体枠の内側に収納可能とする収納機構と、を有し、
該収納時に前記当接部が前記筐体枠の底板内面に当接可能である自立補助具。
【請求項２】
前記収納機構が前記筐体枠の側板の長手方向に平行な基軸部と、
該基軸部に嵌合して前記支持部を回転可能に保持する嵌合部と、を有する請求項１に記載の自立補助具。
【請求項３】
前記基軸部が前記筐体枠の前記側板に固定されている請求項２に記載の自立補助具。
【請求項４】
前記収納機構が、
前記支持部の非収納状態において前記当接部と前記底板底面とが面一となる位置まで前記支持部を前記側板の長手方向に沿って移動可能な上下移動構造を更に有する請求項１から請求項３のうちいずれか１項に記載の自立補助具。
【請求項５】
前記支持部の上下移動を規制する移動防止機構を更に有する請求項４に記載の自立補助具。
【請求項６】
遊技機の周囲を囲む筐体枠と、
遊技媒体による遊技を実現する遊技装置体ユニットと
前記筐体枠に対して前面開閉可能に揺動支持された前面枠と、
前記遊技装置体ユニットに対して一定距離以上離間して配置された前面透明板と、
請求項１から請求項５のうちいずれか１項に記載の自立補助具と、を有する遊技機。
【発明の詳細な説明】
【技術分野】
【０００１】
本発明は、自立補助具及び遊技機に係り、特に、遊技機の自立を補助するために、遊技機の周囲を囲む筐体枠に取り付けられる自立補助具等に関する。
【背景技術】
【０００２】
パチンコ機等の弾球遊技機（以下、遊技機という。）では、弾球された遊技媒体（以下、球という。）が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待して、遊技を楽しむことができる。
【０００３】
このようなパチンコ機は、機器全体が複数の枠により囲まれるように構成されており、球の円滑な流下、遊技者による遊技盤への不正アクセス防止、パチンコホールへの設置性の向上、メンテナンス性の向上等様々な機能を実現している。
【０００４】
具体的には、木材や樹脂等で形成された筐体枠が、パチンコ機全体の主に上下面及び左右側面を囲むように構成されている。そして、その筐体枠の前面、すなわち遊技者側には機枠が筐体枠に対して開閉及び施錠可能に配置され、この機枠が遊技盤を保持している。
【０００５】
さらに、今日のパチンコ機では、パチンコ機の背面側からの不正アクセスを防止するために筐体枠の背面に背面板を設置し、パチンコ機の背面側から内部の制御回路等に対する不正操作を防止する対策がなされている。このような背面板が設けられたキャビネット型のパチンコ機では、背面板に制御回路基板等が配置される構造となっているものが多く、背面板自身の重量やこれら基板類の重量のためにパチンコ機の重心が従来機よりも後方寄りに偏心しがちである。
【０００６】
さらに近年、遊技における演出効果の向上を目的として、液晶表示装置を備える遊技機もあるが、この液晶表示装置の大型化も進んでいる。このような遊技機では、従来よりも大型の液晶表示装置により遊技機全体の重量が増加し、遊技機の重心バランスが不安定になりがちである。
【０００７】
遊技機をパチンコホールの島に設置する場合等、その取扱いにおいて床面に遊技機を一時的に自立させて作業を行うことがある。しかしながら、上述したように重心位置が背面側に偏心したパチンコ機では、底板の底面だけでパチンコ機を安定して自立させることが困難となっており、設置作業等におけるパチンコ機の取扱いに注意を要するという問題があった。
【０００８】
このような問題を解決するために、例えば、パチンコ機の背面に進退動可能なスタンドを設置し、スタンドを後方側へ展開することによってパチンコ機の自立を補助する構造や、筐体枠の下板（底板）部に収納された箱状補助部材を遊技機の背面側へとスライドさせて、パチンコ機の自立を補助する構造などが提案されている（例えば、特許文献１、特許文献２参照。）。
【０００９】
【特許文献１】特開２００６−１０２０７３号公報
【特許文献１】特開２００６−１８１１１２号公報
【発明の開示】
【発明が解決しようとする課題】
【００１０】
しかしながら、パチンコ機は重量増加や重量のアンバランスによって全体が強度不足になる場合があり、そのような場合に床面にパチンコ機を自立させると、その自重により筐体枠が歪んだり変形してしまったりするという問題がある。
【００１１】
また、上記特許文献１に開示の構成においては、スタンドがヒンジ部を介して筐体枠の外側に設けられるため、スタンド設置分だけパチンコ機の厚みが増してしまうおそれがある。このため、パチンコ機の搬送時等においてスタンドが邪魔となってしまい、取扱いが煩雑になるという問題もある。
【００１２】
一方で、特許文献２に開示の構成においては、下板部に箱状補助部材を収納するための空間を確保する必要があるので、下板構造が複雑になるという問題がある。また、パチンコ機の高さ寸法は、パチンコ機が設置される島の設置スペースに応じて所定寸法に規定されるため、箱状補助部材用の収納空間を確保することが構造上容易ではないという問題もある。
【００１３】
本発明は上記の事情に鑑みて為されたもので、遊技機の自立を補助するとともに、補助具が邪魔にならず、さらに、筐体枠の強度補強を行うことにより筐体枠の歪みや変形を低減又は防止することのできる自立補助具及び遊技機を提供することを例示的課題とする。
【課題を解決するための手段】
【００１４】
上記の課題を解決するために、本発明の例示的側面としての自立補助具は、遊技機の自立を補助するために、遊技機の周囲を囲む筐体枠に取り付けられる自立補助具であって、筐体枠の底板底面を載置する載置面に当接可能な当接部を有して遊技機の重量を支持する支持部と、支持部を筐体枠の内側に収納可能とする収納機構と、を有し、収納時に当接部が筐体枠の底板内面に当接可能であることを特徴とする。ここで、底板内面とは、底板の上側面を意味している。
【００１５】
このように、支持部が収納されていない状態（この状態を、自立補助具の使用状態とする。）では、当接部が載置面に当接して遊技機の重量を支持するため、重心バランスが背面位置に偏心しても、支持部によって遊技機の自立を効果的に補助することができる。このため、島などに遊技機を設置する場合において、遊技機の取扱い性を向上させることが可能となる。
【００１６】
また、遊技機を自立させる必要がない場合、例えば、遊技機の搬送時や島への取付け完了時などにおいては、支持部を筐体枠の内側に収納することができるので、支持部が邪魔にならないという効果を奏する。
【００１７】
さらに、自立補助具の収納状態において、当接部が筐体枠の底板内面に当接可能であるため、支持部が筐体枠の歪みや変形を低減又は防止する役割を有し、筐体枠における強度向上を図ることが可能となる。遊技機の重量が大きい場合やアンバランスな場合であっても、収納状態の支持部が筐体枠を補強するので、筐体枠の剛性が向上する。
【００１８】
収納機構が筐体枠の側板の長手方向に平行な基軸部と、基軸部に嵌合して支持部を回転可能に保持する嵌合部とを有するものであってもよい。嵌合部により支持部が基軸部に対して回転可能な構成となっており、更にその基軸部が側板の長手方向、すなわち遊技機を自立させたときの高さ方向に平行とされている。したがって、収納方向は水平面内での回転方向となり、支持部の収納作業を簡易かつ円滑に行うことが可能となる。
【００１９】
さらに、基軸部が筐体枠の側板に固定されているものであってもよい。基軸部を筐体枠の側板に固定すれば、基軸部及び支持部によって筐体枠の側板及び底板を強固に補強する構造となる。したがって、筐体枠を高剛性とすることができ、遊技機の自重等による歪み等を低減することができる。
【００２０】
収納機構が、支持部の非収納状態において当接部と底板底面とが面一となる位置まで支持部を側板の長手方向に沿って移動可能な上下移動構造を更に有するものであってもよい。
【００２１】
このように、収納機構が上下移動構造を有することによって、収納状態において底板内面に当接される支持部の当接部を、使用状態において底板の底面と面一にすることができるので、自立時の安定性と筐体の補強との両立をより一層高い次元で実現することができる。
【００２２】
さらに、支持部の上下移動を規制する移動防止機構を更に有するものであってもよい。移動防止機構を設けることによって、使用状態において底板底面と面一とされた支持部の当接部が、遊技機の自重によって上方に移動してしまうのを防止することができる。したがって、遊技機の自立状態においてバランスを崩して傾いたり転倒する危険性を低減することができ、安定した自立に寄与することができる。
【００２３】
本発明の他の例示的側面としての遊技機は、遊技機の周囲を囲む筐体枠と、遊技媒体による遊技を実現する遊技装置体ユニットと、遊技装置体ユニットを保持し、筐体枠に対して開閉可能に揺動支持された機枠と、遊技装置体ユニットに対して一定距離以上離間して配置された前面透明板と、前面透明板又はその周囲を囲む装飾部材を保持し、機枠に対して前面開閉可能に揺動支持された装飾枠と、遊技媒体を遊技装置体ユニットの前面に形成される遊技領域に向けて発射するための発射ユニットと、上述した自立補助具とを有することを特徴とする。
【００２４】
ここで、遊技媒体とは、例えばパチンコ機等の遊技機に用いられる球（パチンコ球）であり、遊技装置体ユニットとは、球の流下により遊技を実現する遊技盤等である。また、「前」とは遊技装置体ユニットがパチンコ機等の遊技機に設置された際に、遊技盤面から遊技者に向かう方向、すなわち遊技盤裏面から表面に向かう方向とし、反対に遊技者から遊技盤面に向かう方向を「後」とする。
【００２５】
このように遊技機が自立補助具を備えることによって、遊技機が筐体枠の底面だけでは安定して自立しない場合であっても、支持部により遊技機を支えることができる。このため、遊技機の取扱い時に安定して自立させることができるので、例えば搬送時や島への取り付け時等においてその作業効率を向上させることができる。しかも、遊技機の自立の必要がない場合には、自立補助具を筐体枠の内側へ収納することができるので、遊技機の取扱い時にも殆ど邪魔にならない。
【００２６】
また、収納時においては自立補助具によって筐体枠を補強することができるので、筐体枠における強度向上を図ることが可能となる。遊技機の重量が大きい場合や重量バランスが悪い場合でも、筐体枠の歪みや変形を低減又は防止することができる。
【００２７】
本発明の更なる目的又はその他の特徴は、以下添付図面を参照して説明される好ましい実施の形態によって明らかにされるであろう。
【発明の効果】
【００２８】
本発明によれば、収納状態においては筐体枠内部に収納することにより遊技機の取扱い時に殆ど邪魔になることなく、使用状態においては遊技機の重量を支持してその自立を安定的に補助することができる。しかも収納状態においては筐体枠の底板内面に当接して筐体枠の強度を補強することができるので、筐体枠の歪みや変形を低減又は防止することができる。
【発明を実施するための最良の形態】
【００２９】
［実施の形態１］
以下、本発明の実施の形態１について図面を用いて説明する。図１は、本発明の実施の形態１に係る自立補助具１を有する遊技機としてのパチンコ機２の外観を示す外観斜視図である。パチンコ機２は、筐体枠３、背面板４、遊技盤ユニット（遊技装置体ユニット）５、機枠６、前面透明板７、装飾枠８、上皿９、発射ユニット（図示せず。）、自立補助具１（図２〜図１２参照。）を有して概略構成されている。
【００３０】
パチンコ機２は、組合せ式パチンコ機、封入循環式パチンコ機等を含む。また、遊技機としてはパチンコ機の他に、遊技媒体としてコインを使用するパチスロ機やスロットマシン、各種ゲーム機やアーケードマシン等が概念できる。
【００３１】
筐体枠３は、このパチンコ機２の周囲を囲むための枠体であり、平面視略長方形に構成されている。材料としては、木材が用いられることが多いが、他に樹脂やアルミ等の金属が用いられることもある。筐体枠３は、パチンコ機２の上下面及び左右側面を囲い、前面（すなわち、遊技者側。）から見て左側面側には機枠６及び装飾枠８を揺動支持するためのヒンジ部１１が設けられている。
【００３２】
背面板４は、図２に示すように、筐体枠３の後方を略密閉し、パチンコ機２の背面を実質的に閉鎖する板状部材である。背面板４の設置により、遊技者やパチンコホールの店員による背面からのパチンコ機２内部への不正アクセスを効果的に防止することができるようになっている。背面板４は、筐体枠３の後方に配置されて筐体枠３と周囲で連結されており、アルミニウム等の熱伝導性の高い金属で形成されている。なお、背面板４の前面（遊技者側）には、パチンコ機２全体の制御を行うための主基板（遊技制御基板、図示せず。）や電源基板（図示せず。）等が配置されている。また、背面板４は筐体枠３の背面すべてを密閉しておらず、図２に示すように筐体枠３の下方部分には後方に自立補助具１を収納・使用するためのスペースが確保されている。
【００３３】
遊技盤ユニット５は、遊技盤１３とレール飾り１４とを有して構成されている。遊技盤１３は、パチンコ機２において遊技媒体としての球２０による遊技を実現するためのものである。遊技盤１３の遊技盤面１３ａには、略円形状に開口が形成されたレール飾り１４が取り付けられており、このレール飾り１４の内側面１４ａと遊技盤面１３ａとによって遊技領域１３ｂが画定されている。
【００３４】
その遊技領域１３ｂ内には多数のゲージ２４、入賞口２６、図柄表示装置２８、アウト口３０、その他の各種役物が配置されている。図示しない球発射装置により球２０が遊技領域１３ｂ内の上部に向けて発射されると、球２０がゲージ２４に衝突してその流下方向を変えつつ遊技領域１３ｂ内を流下するようになっている。その流下の途中で、あるものは入賞口２６に入賞して景品球払出しの契機となり、あるものは図柄表示装置２８による図柄変動遊技開始の契機となり、また、あるものはいずれの入賞口２６にも入賞せずにアウト口３０からパチンコ機２の外部へと排出される。このように、遊技盤１３上を球２０が流下する際に、様々な遊技が演出されるようになっている。
【００３５】
遊技盤１３の裏面側（後面側）には入賞口２６に入賞した入賞球やアウト口３０に流入したアウト球を排出するための球経路、図柄表示装置２８の図柄表示制御を行う図柄表示制御基板（図示せず。）、各種役物の動作制御を行う役物制御基板が配置されるが詳細は省略する。
【００３６】
機枠６は、遊技盤１３を保持するための枠体であり、その中央近傍に遊技盤１３を取り付けるための取付け開口が形成されている。取付け開口の周囲に遊技盤１３を着脱可能に取り付けるための取付け部を有し、機枠６は遊技盤１３の周囲を囲むように構成されている。その機枠６は、筐体枠３の前面側に配置されてヒンジ部１１において筐体枠３に軸支され、筐体枠３に対して前面開閉可能に揺動支持されている。機枠６は、樹脂又は金属によって形成され、その裏面側には裏機構盤（図示せず。）が配置される。その裏機構盤には、入賞球を計数して排出処理する入賞球処理装置（図示せず。）、景品球を計数して払い出す景品球払出し装置（図示せず。）等が配置されている。
【００３７】
前面透明板７は、遊技盤１３に対して一定距離以上離間して配置された透明板である。前面透明板７は透明平板で形成され、遊技盤１３との間に球２０が流下する流下空間を形成する機能、遊技者が前面透明板７を通して遊技盤１３を視認できるように視認性を確保する機能、遊技者が遊技盤１３に不正にアクセス（接触）できないように不正アクセスを防止する機能、を発揮する。
【００３８】
前面透明板７の素材としては一般にガラスが使用されるが、透明アクリル等の樹脂材料が使用されてもよい。また、本実施の形態１においては、前面透明板７が装飾枠８に保持されるが、前面透明板７が遊技盤１３の前面に取り付けられて、遊技盤１３とともに機枠６に保持されるように構成されていてもよい。
【００３９】
装飾枠８は、前面透明板７又はその周囲を囲む装飾部材３２を保持するための枠体である。本実施の形態１においては、装飾枠８は、前面透明板７及び装飾部材３２の両方を保持している。その装飾枠８は、機枠６の前面側に配置されてヒンジ部１１において機枠６とともに筐体枠３に軸支され、機枠６に対して前面開閉可能に揺動支持されている。
【００４０】
装飾枠８は樹脂又は金属によって形成され、その中央部には前面透明板７を取り付けるための取付け開口が形成されている。その前面透明板７の周囲には、パチンコ機２を装飾するための造形・色彩・ランプが付された装飾部材３２が取り付けられ、パチンコ機２の遊技演出に寄与している。
【００４１】
なお、本実施の形態１では、筐体枠３に設けられたヒンジ部１１に機枠６及び装飾枠８の両方が軸支される構成となっている。しかしながら、機枠６と装飾枠８とがそれぞれ異なるヒンジ部によって軸支されていてももちろんよい。筐体枠３に機枠６を軸支するヒンジ部が設けられ、機枠６に装飾枠８を軸支する別のヒンジ部が設けられていてももちろんよい。
【００４２】
上皿９は、球２０を発射ユニットに導くべく貯留するためのもので、下皿９ａとともに遊技者の持ち球を貯留する機能を有する。上皿９は、パチンコ機２の前面であって遊技盤１３の下方、すなわち装飾枠８の下部に配置され、下皿９ａは、その上皿９の更に下方に配置されている。本実施の形態１においては、上皿９と下皿９ａとを別々に構成しているが、もちろん上皿９と下皿９ａとが一体となって１つの球皿が構成されていてもよい。
【００４３】
上皿９は、景品球としてパチンコ機２から払い出された球２０を受け取る機能や、その球２０を球供給装置（図示せず。）を介して発射ユニットに導くべく貯留する機能を有している。遊技終了時には、遊技者が球排出ボタン９ｂを操作することにより、球２０を上皿９から下皿９ａへと排出することができるようになっている。
【００４４】
発射ユニットは、球供給装置によって上皿９から発射位置に送り出された球２０を遊技領域１３ｂの上部に向けて発射（弾球）するためのものであり、球発射装置を有して構成されている。球発射装置は、例えば発射位置の球２０を弾球する発射杆、その発射杆を駆動する発射モータ、発射杆を付勢して弾球のための力を発生させる発射バネ等を有してユニット構成され、機枠６に取り付けられている。その発射ユニットによる球発射のため、遊技者の操作に基づいて球発射のオンオフ及びその発射強度調整を実現する発射ハンドル１０がパチンコ機２の前面下部に設けられているが、詳細は省略する。
【００４５】
自立補助具１は、図２に示すように、筐体枠３の内側の左右下側隅部にそれぞれ設けられている。自立補助具１は、図３に示すように、筐体枠３の左右側部を構成する側板３ａに固定される収納機構部（収納機構）４０と、収納機構部４０によって筐体枠３に対して収納又は展開される支持部４１とを有して概略構成されている。なお、筐体枠３の左右下側隅部は、起立する側板３ａとこの側板３ａに直交する底板３ｂとが連結される部分であり、自立補助具１の前方側には、側板３ａと底板３ｂとの連結を行うためのＬ字金具３９が設けられている。
【００４６】
収納機構部４０は、例えば樹脂材料等によって形成されており、図４に示すように、側板３ａに当接される固定板部４３と、側板３ａと平行になるようにして固定板部４３に固定される基軸部４４と、基軸部４４に嵌合して基軸部４４の回りを回転することが可能な嵌合部４５（図３，図５参照。）と、嵌合部４５の上下方向の移動を案内するガイド部４６とを有して概略構成される。
【００４７】
固定板部４３には、本体板部４３ａと、本体板部４３ａの略中央において本体板部４３ａに直交する方向へと延設された中間部４３ｂと、本体板部４３ａの端部において屈曲する屈曲部４３ｃ、４３ｄとを有して構成されており、図４に示すようにパチンコ機２の前後方向ら見てＥ字状を呈している。本体板部４３ａには、側板３ａに当接する側板当接面４３ｅが設けられており、図示を省略する固定ネジ等によって、側板当接面４３ｅが側板３ａに当接された状態で本体板部４３ａの固定が行われる。このとき、固定板部４３は、図３に示すように、本体板部４３ａの下端側で屈曲する屈曲部４３ｄの底面が、筐体枠３の底板３ｂの上面（内面）３ｃに当接する状態で側板３ａに固定される。
【００４８】
基軸部４４とガイド部４６とは、嵌合部４５の上下動を許容するための軸部４７を構成する部材である。基軸部４４は、略円柱形状を呈している。ガイド部４６は、基軸部４４と同径の円柱形状を有するとともに、上下方向に延びて形成される２本のガイド溝４６ａが外側面に設けられている。また、基軸部４４の高さ寸法とガイド部４６の高さ寸法とは、同一寸法Ｌ１で規定されている。
【００４９】
軸部４７は、基軸部４４とガイド部４６との中心軸を筐体枠３の前後方向へと偏芯させた状態で交互に２つずつ連結させることにより構成されており、固定板部４３の中間部４３ｂ及び屈曲部４３ｃ、４３ｄによって保持されている。このように軸部４７を固定板部４３に保持させることによって、基軸部４４及びガイド部４６は側板３ａの長手方向と平行になるようにして筐体枠３に固定される。なお、本実施の形態１では、軸部４７と固定板部４３とは一体に形成されている。また、この軸部４７は、本発明における上下移動機構を構成する。
【００５０】
ガイド部４６に形成されるガイド溝４６ａは、水平断面が半月状の曲面凹部によって形成されており、このガイド溝４６ａによって、後述する嵌合部４５の爪先端４５ａ（図５参照。）をガイド溝４６ａの延設方向（つまり、上下方向。）にスライドさせることが可能となっている。また、ガイド溝４６ａの断面は、曲面凹部により構成されているので、爪先端４５ａをガイド溝４６ａから脱出させて容易に進退動（つまり、前後移動。）することが可能となっている。
【００５１】
嵌合部４５は、図５に示すように、基軸部４４を嵌入することが可能な内部径を有する曲面状の爪４５ｂと、爪４５ｂが固定される嵌合基部とによって構成されている。この爪４５ｂは、Ｃ字状の水平断面を備えており、樹脂材料等の可撓性（弾性）を備えた材料によって構成される。爪４５ｂを撓ませて、爪先端４５ａの間隔を広げることによって、上述したガイド溝４６ａへの進入及び脱出を行うことが可能となっている。
【００５２】
爪４５ｂの高さ寸法は、上述した基軸部４４及びガイド部４６の寸法Ｌ１と同一又はそれ以下（本実施の形態１においては、便宜的にＬ１と同一。）に規定されている。このため、嵌合部４５が基軸部４４に嵌合する場合には、嵌合部４５が基軸部４４の外周を回転移動することが可能となっており、また、基軸部４４からガイド部４６のガイド溝４６ａに沿って、嵌合部４５をガイド部４６に移動させた場合には、嵌合部４５の爪４５ｂが基軸部４４との嵌合を脱して、ガイド部４６のみに係合するようになっている。
【００５３】
なお、本実施の形態１において、嵌合部４５は後述する支持部４１に一体形成されており、支持部４１が嵌合基部に該当する部分となる。
【００５４】
支持部４１は、図５に示すように、側方視で略直角三角形形状を呈する板状部材であって、収納機構部４０の基軸部４４と同様に樹脂材料等によって形成されている。支持部４１の起立辺部４１ａは、２つの嵌合部４５の間に寸法Ｌ１以上（本実施の形態１においては、便宜的にＬ１と同一。）の間隔を保つようにして形成されており、さらに下側の嵌合部４５の下方には、筐体枠３の底板３ｂの肉厚と固定板部４３における屈曲部４３ｄの高さ寸法Ｒ１とを加算した寸法以上の高さ寸法Ｌ２の欠落空間４１ｂが形成されている。なお、本実施の形態１では、底板３ｂの肉厚寸法をガイド部４６の高さ寸法と等しい寸法Ｌ１とし、便宜的にＬ２＝Ｌ１＋Ｒ１とする。
【００５５】
支持部４１の底辺部（当接部）４１ｃは、起立辺部４１ａと直交する平面によって構成されている。支持部４１が嵌合部４５を介して基軸部４４に揺動可能に軸支されているので、底辺部４１ｃは、底板３ｂの上面３ｃ及び底面３ｄと平行な面となる。また、後述するように支持部４１の収納状態においては底辺部４１ｃの長手方向が底板３ｂの長手方向と平行となり、使用状態においては底辺部４１ｃの長手方向が底板３ｂの長手方向とも側板３ａの長手方向とも直交する方向となる。
【００５６】
次に、このようにして構成される自立補助具１が、筐体枠３の内側に収納された状態（収納状態）から筐体枠３の背面側へと展開された状態（使用状態）までの展開構成を、図面を用いて説明する。
【００５７】
図３は、支持部４１が筐体枠３の内側に収納された状態を示している。この状態において、嵌合部４５は、軸部４７の最上部に移動して基軸部４４に嵌合した状態となっており、上側に位置する嵌合部４５の上面は屈曲部４３ｃの底面に当接して上方への移動が規制されている。また、この状態において、欠落空間４１ｂの高さ寸法Ｌ２は、ガイド部４６の高さ寸法Ｌ１と固定板部４３における屈曲部４３ｄの高さ寸法Ｒ１とを加算した寸法に等しい寸法であるため、支持部４１の底辺部４１ｃの底面が底板３ｂの上面３ｃに当接した状態となる。
【００５８】
このため、支持部４１における略直角三角形形状の一辺を形成する起立辺部４１ａが側板３ａにおいて固定された状態となり、さらに他辺を形成する底辺部４１ｃが底板３ｂに当接された状態となるので、筐体枠３に対して側板３ａと底板３ｂとの連結を歪ませるような外力が加わった場合であっても、支持部４１がその歪みに抗する補強部材として機能し、筐体枠３における強度を向上させることが可能となる。
【００５９】
なお、筐体枠３の側板３ａと底板３ｂとを連結するＬ字金具３９が収納状態における支持部４１に当接して、支持部４１を側板３ａの延長方向と底板３ｂの延長方向とを含む面に平行となるように維持するので、収納状態の支持部４１は筐体枠３を効果的に補強することができるようになっている。
【００６０】
支持部４１が筐体枠３の内側に収納された状態では、図６に示すように、嵌合部４５が基軸部４４のみに嵌合した状態となるため、支持部４１を筐体枠３の背面方向に（図６の矢印方向に）回転移動させることが可能である。そして、筐体枠３の内側に収納された支持部４１を、図７（ａ）に示す状態から図７（ａ）の矢印方向へと回転移動させて、図７（ｂ）に示すように約９０°だけ移動させると、図８に示すように、支持部４１が前後方向に沿った状態となるように移動させることができる。なお図７は、自立補助具１を基軸部４４部分で水平面（軸部４７に直交する面。）で切断した部分断面図であって、支持部４１が回転移動する状態を示している。
【００６１】
図８においては、収納機構部４０の動きを明確にするために、便宜上側板３ａを図示していないが、側板３ａに固定される固定板部４３の側板当接面４３ｅと支持部４１とが平行になっているので、支持部４１が側板３ａの側面と平行になっている（前後方向となっている。）と判る。
【００６２】
支持部４１が前後方向となると、図７（ｂ）に示すように、嵌合部４５の爪先端４５ａが、ガイド部４６のガイド溝４６ａ上方に位置することとなる。したがって、この状態において支持部４１を下方向（側板３ａの長手方向）へとスライドさせれば、嵌合部４５の爪先端４５ａがガイド溝４６ａに案内されて、支持部４１を下方に距離Ｌ１だけ移動させることが可能となる。
【００６３】
図９は、支持部４１を下方に距離Ｌ１だけ移動させた状態を示している。このように、嵌合部４５をガイド部４６に移動させた場合には、嵌合部４５の爪４５ｂは基軸部４４との嵌合を脱して、ガイド部４６のみに係合する状態となっている。このため、この状態において支持部４１を筐体枠３の前面方向へと力を加えてスライドさせることによって、爪４５ｂを僅かに撓ませて爪先端４５ａの間隔を広げて、爪先端４５ａをガイド溝４６ａから脱出させることができる。
【００６４】
具体的には、図１０（ａ）の状態において支持部４１を矢印方向へと移動させることによって、図１０（ｂ）に示すように、ガイド部４６を支持部４１の爪４５ｂに押し入れることができる。この場合、図１１に示すように、支持部４１の上側に設けられる嵌合部４５の根本部分は、上側の基軸部４４の底面と下側の基軸部４４の上面との間に、下側に設けられる嵌合部４５は、下側の基軸部４４の底面と屈曲部４３ｄの上面との間に進入した状態となる。なお、図１０は、自立補助具１をガイド部４６部分で水平面（軸部４７に直交する面。）で切断した部分断面図であって、支持部４１を前方にスライドさせる状態を示している。
【００６５】
ここで、図１０（ａ）に示すこの支持部４１のスライド量Ｌ４（換言すれば基軸部４４とガイド部４６との偏芯量であって、図１０（ａ）におけるガイド部４６の図中下端位置と嵌合部４５の略円筒内面下端位置との距離。）は、筐体枠３の底板３ｂ背面側とスライド前状態（図１０（ａ）の状態。）における欠落空間壁面４１ｄとの距離Ｌ３（図９参照）以下となるように構成されている。したがって、欠落空間壁面４１ｄが底板３ｂに干渉してしまうことなく、支持部４１をスライドさせて嵌合部４５にガイド部４６を嵌合させることができる。
【００６６】
なお、スライド量Ｌ４と距離Ｌ３とを略同寸法とすることにより、スライド後の使用状態において欠落空間壁面４１ｄが底板３ｂ背面側に当接に近い状態となり、支持部４１の回転方向の動きが規制されることとなる。したがって、支持部４１の使用状態におけるグラつきを減少させることができる。
【００６７】
更に、スライド量Ｌ４を距離Ｌ３より若干大きくなるように設定すれば、スライド後の使用状態において欠落空間壁面４１ｄと底板３ｂ背面側とが当接するように構成することもできる。この場合においては、嵌合部４５の弾性力に基づき欠落空間壁面４１ｄと底板３ｂ背面側との間に付勢力を発生させることもでき、よりグラつきを低減することもできる。
【００６８】
図１２は、支持部４１を図１０（ｂ）に示すように筐体枠３の前面方向へとスライドさせた状態を示している。基軸部４４及び屈曲部４３ｄにより嵌合部４５の上面及び下面が押さえられるので、支持部４１の上下方向の動きが規制される。さらに、上述したように支持部４１がガイド溝４６ａに沿って距離Ｌ１だけ下方に移動されているので、支持部４１の欠落空間４１ｂに屈曲部４３ｄと筐体枠３の底板３ｂが入り込んで、底板３ｂの底面３ｄと支持部４１における底辺部４１ｃの底面とが面一状態（同じ高さ状態）となる。
【００６９】
このため、図１２に示すように、支持部４１が展開された場合には、支持部４１の底辺部４１ｃの底面と底板３ｂの底面３ｄとが面一となってパチンコ機２の自立を支持部４１で補助することができるので、底板３ｂの底面３ｄだけでは安定して自立することが困難なパチンコ機２においても、安定した自立状態を確保することが可能となる。
【００７０】
特に、キャビネット型のパチンコ機２のように重心バランスが背面側に偏心するものであっても、支持部４１によってパチンコ機２の自立を補助することができ、島等にパチンコ機２を設置する作業等において、パチンコ機２の取扱い性を向上させることができる。
【００７１】
また、基軸部４４及び屈曲部４３ｄによって嵌合部４５の上面及び下面が押さえられて支持部４１の上下方向の動きが規制されるので、基軸部４４及び屈曲部４３ｄが移動防止機構としての機能を発揮する。それにより、パチンコ機２の重量が加わっても支持部４１が上方に移動してしまうのを防止することができる。このため、パチンコ機２が重い場合であっても、支持部４１によって確実にパチンコ機２の自立を補助することができる。
【００７２】
支持部４１の底辺部４１ｃの底面と底板３ｂの底面３ｄとが面一となってパチンコ機２の自立を補助するので、底板３ｂの底面３ｄを載置する載置面５０に支持部４１の底辺部４１ｃを当接させることでき、自立補助具１を用いて自立補助されたパチンコ機２の安定性をより一層高めること可能となる。
【００７３】
さらに、パチンコ機２を自立させる必要がない場合、例えば、パチンコ機２の搬送時や島への取付け完了時などにおいては、支持部４１を筐体枠３の内側に収納することができるので、支持部４１が殆ど邪魔にならない。
【００７４】
回転移動させるだけで支持部４１を筐体枠３の内側に収納することができるので、ドライバ等の工具を用いることなく作業を行うことができ、支持部４１の収納作業等を簡易かつ円滑に行うことが可能となる。
【００７５】
さらに、自立補助具１が筐体枠３の左右端部に設けられるので、筐体枠３の自立を左右端部よりバランスよく補助することができ、自立補助されたパチンコ機２の安定性を高めることが可能となる。
【００７６】
［実施の形態２］
上述した実施の形態１では、基軸部４４とガイド部４６とが偏芯して連結された収納機構部４０について説明を行ったが、収納機構部の構造は、実施の形態１に示したものには限定されず、他の構造によって構成されるものであってもよい。
【００７７】
図１３〜図１５は、実施の形態２に係る収納機構部を備えた自立補助具１ａを示した図である。自立補助具１ａは、略直角三角形形状を呈する支持部５１と、筐体枠３の側板３ａに固定される中空筒形状の基部５２と、この基部５２の中空部５２ａに嵌入固着される軸部５３と、軸部５３が嵌入される嵌入孔５４ａが形成されるとともに外周面において支持部５１が連結される嵌合部５４とを有している。実施の形態２に示す自立補助具１ａでは、基部５２と軸部５３とが本発明に係る基軸部に該当する。
【００７８】
基部５２の下縁部には、図１３に示すように一部が下方に突出する突出部５２ｂが形成されており、この突出部５２ｂによって下縁面に段差が形成されている。一方で、嵌合部５４の上縁部においても、突出部５２ｂに対応する高さの突出部５４ｂが形成されている。図１３に示すように支持部５１が筐体枠３の内側に収納されている場合には、基部５２の下縁部と突出部５４ｂの上縁部とが当接し、さらに突出部５２ｂ下縁部と嵌合部５４の上縁部とが当接した状態となっている。このような状態では、支持部５１の底面５１ａが筐体枠３の底板３ｂの上面３ｃと当接すると共に、基部５２と嵌合部５４とが上下方向で当接して上下方向の移動が規制されているので、自立補助具１ａが筐体枠３の側板３ａと底板３ｂとの歪みを抑制する役割を有し、筐体枠３における強度向上を図ることが可能となる。
【００７９】
なお、図１３に示すように、突出部５４ｂの側縁部と突出部５２ｂの側縁部との間には僅かに隙間が形成されているので、支持部５１は、突出部５４ｂの側縁部が突出部５２ｂの側縁部に当接する角度まで回転移動することが可能となっている。
【００８０】
図１４は、突出部５４ｂの側縁部が突出部５２ｂの側縁部に当接する角度まで、支持部５１を回転移動させた状態を示している。このように支持部５１を回転移動させた場合には、支持部５１の底面５１ａが筐体枠３の底板３ｂから外れるので、支持部５１の底面５１ａ側には何も存在しない状態となる。このため、図１４に示す状態では、支持部５１を下方に移動させることが可能となる。支持部５１を下方に移動させる場合には、基部５２に対して嵌合部５４が下方に移動するので、突出部５２ｂの下縁部と突出部５４ｂの上縁部との位置が同じ高さ位置となることによってさらに支持部５１が回転移動可能な状態となる。このため、図１５に示すように支持部５１を側板３ａと平行な位置まで回転移動させることが可能となる。この場合には、突出部５２ｂの下縁部と突出部５４ｂの上縁部とが当接して上下方向の移動が規制されているので、支持部５１にパチンコ機２の重量が掛かっても支持部５１が上下に移動することがなく、自立したパチンコ機２の安定性を高めることができる。
【００８１】
このように、実施の形態２に示した自立補助具１ａを用いる場合であっても、支持部５１によってパチンコ機２の重量が支持されるため、パチンコ機２の自立を効果的に補助することができる。さらに、支持部５１が筐体枠３内に収納された場合には、支持部５１の底面５１ａが筐体枠３の底面３ｄの上面３ｃに当接されるため、収納時における筐体枠３の強度補強を行うことが可能となる。
【００８２】
なお、本実施の形態２においては、遊技機としてのパチンコ機について説明したが、もちろん上述のように、遊技機としてはパチスロ機やスロットマシン、各種ゲーム機やアーケードマシン等が概念できる。ここで、パチスロ機やスロットマシンの場合は、コインが遊技媒体に相当し、回胴体が遊技装置体に相当する。
【００８３】
以上、本発明の好ましい実施の形態を説明したが、本発明はこれらに限定されるものではなく、その要旨の範囲内で様々な変形や変更が可能である。例えば、本実施の形態１においては、自立補助具１を例示的に樹脂材料として説明しているが、もちろん鉄・アルミ・真鍮等の金属材料によって自立補助具１が形成されていてもよいし、例えば支持部４１が樹脂、収納機構部４０が金属というように、部分的に樹脂と金属とが用いられて形成されていてもよい。筐体枠３の補強の側面からは、一般に樹脂よりも剛性の高い金属材料の方が適している場合もある。
【図面の簡単な説明】
【００８４】
【図１】本発明の実施の形態１に係るパチンコ機の正面側を示した外観斜視図である。
【図２】本発明の実施の形態１に係るパチンコ機の背面側を示した外観斜視図である。
【図３】本発明の実施の形態１に係る自立補助具が筐体枠に収納された状態を示す外観斜視図である。
【図４】本発明の実施の形態１に係る自立補助具の固定板部を示した外観斜視図である。
【図５】本発明の実施の形態１に係る自立補助具の支持部及び嵌合部を示す外観斜視図である。
【図６】筐体枠に収納された状態における自立補助具を示した外観斜視図である。
【図７】筐体枠に収納された状態における自立補助具を基軸部において軸部に直交する面で切断し、支持部が回転移動する状態を示す部分断面図である。
【図８】図６に示す自立補助部が回転移動された状態を示す外観斜視図である。
【図９】図８に示す自立補助部が下方向に移動された状態を示す外観斜視図である。
【図１０】筐体枠に収納された状態における自立補助具をガイド部において軸部に直交する面で切断し、支持部を前方にスライドさせる状態を示す部分断面図である。
【図１１】支持部をパチンコ機の前面側にスライドさせた状態を示す自立補助具の外観斜視図である。
【図１２】本発明の実施の形態１に係る自立補助具が筐体枠より展開された状態を示す外観斜視図である。
【図１３】本発明の実施の形態２に係る自立補助具が筐体枠に収納された状態を示す外観斜視図である。
【図１４】本発明の実施の形態２に係る自立補助具が回転移動された状態を示す外観斜視図である。
【図１５】本発明の実施の形態２に係る自立補助具が筐体枠より展開された状態を示す外観斜視図である。
【符号の説明】
【００８５】
１，１ａ：自立補助具
２：パチンコ機（遊技機）
３：筐体枠
３ａ：側板
３ｂ：底板
３ｃ：上面（底板内面）
３ｄ：底面
４：背面板
５：遊技盤ユニット（遊技装置体ユニット）
６：機枠
７：前面透明板
８：装飾枠
９：上皿
９ａ：下皿
９ｂ：球排出ボタン
１０：発射ハンドル
１１：ヒンジ部
１３：遊技盤
１３ａ：遊技盤面
１３ｂ：遊技領域
１４：レール飾り
１４ａ：内側面
２０：球
２４：ゲージ
２６：入賞口
２８：図柄表示装置
３０：アウト口
３２：装飾部材
３９：Ｌ字金具
４０：収納機構部（収納機構）
４１：支持部
４１ａ：起立辺部
４１ｂ：欠落空間
４１ｃ：底辺部（当接部）
４１ｄ：欠落空間壁面
４３：固定板部
４３ａ：本体板部
４３ｂ：中間部
４３ｃ：屈曲部
４３ｄ：屈曲部（移動防止機構）
４３ｅ：側板当接面
４４：基軸部（上下移動構造、移動防止機構）
４５：嵌合部
４５ａ：爪先端
４５ｂ：爪
４６：ガイド部（上下移動構造）
４６ａ：ガイド溝
４７：軸部
５０：載置面
５１：支持部
５１ａ：底面
５２：基部（基軸部）
５２ａ：中空部
５２ｂ：突出部
５３：軸部（基軸部）
５４：嵌合部
５４ａ：嵌入孔
５４ｂ：突出部
【図１】
2008245847.tif 000003
【図２】
2008245847.tif 000004
【図３】
2008245847.tif 000005
【図４】
2008245847.tif 000006
【図５】
2008245847.tif 000007
【図６】
2008245847.tif 000008
【図７】
2008245847.tif 000009
【図８】
2008245847.tif 000010
【図９】
2008245847.tif 000011
【図１０】
2008245847.tif 000012
【図１１】
2008245847.tif 000013
【図１２】
2008245847.tif 000014
【図１３】
2008245847.tif 000015
【図１４】
2008245847.tif 000016
【図１５】
2008245847.tif 000017